(57)【要約】【課題】  乾電池式としたうえで、上部に取っ手を設けることにより、移動や持ち運びが容易で自在となるインテリア提灯を提供する。【解決手段】提灯本体に、その上下方向に延在する取っ手を設け、提灯本体下方の筒形底部に、乾電池に接続されて点灯する電球を保持したソケットと、電球の点灯と消灯を行うスイッチとを含む照明器具を着脱自在に配設し、提灯本体上方の筒形口部に、電球から発射される光線を発散させるレンズを設けた。照明器具を、提灯本体下方の筒形底部から外せるので、乾電池や電球の交換が簡単である。また、照明にローソクを使用しないので安全であり、移動や持ち運びが容易である。提灯本体をプラスチックで形成したときは、多少濡れても支障がないので、雨天等の天候に左右されず持ち運びができる。【選択図】図２
0003110743.tif 000002
【実用新案登録請求の範囲】
【請求項１】
提灯本体に、その上下方向に延在する取っ手を設け、
前記提灯本体下方の筒形底部に、乾電池に接続されて点灯する電球を保持したソケット
と、前記電球の点灯と消灯を行うスイッチとを含む照明器具を着脱自在に配設し、
前記提灯本体上方の筒形口部に、前記電球から発射される光線を発散させるレンズを設
けたことを特徴とするインテリア提灯。
【請求項２】
請求項１に記載のインテリア提灯において、
前記提灯本体上方の筒形口部に、前記レンズの外面を遮蔽する遮光キャップを着脱自在
に配設したことを特徴とするインテリア提灯。
【請求項３】
請求項１に記載のインテリア提灯において、
前記取っ手を、逆し字形とし、上端を前記提灯本体上方の筒形口部に固着したことを特
徴とするインテリア提灯。
【請求項４】
請求項１に記載のインテリア提灯において、
前記提灯本体の側面に、任意の文字を表示したことを特徴とするインテリア提灯。
【請求項５】
請求項１に記載のインテリア提灯において、
前記照明器具のソケットの周囲に、前記電球からの光線を反射させる反射板を配設した
ことを特徴とするインテリア提灯。
【考案の詳細な説明】
【技術分野】
【０００１】
本考案は、古きよき時代の流れを受け継いで現在も利用されている照明具であるインテ
リア提灯に関するものである。
【背景技術】
【０００２】
昔から数多くの提灯があるが、現代では提灯を持ち歩く人は少なくなり、わずかに各地
の祭りの時の場所飾りや、居酒屋さんやラ‐メンやさんの暖簾がわりや、各種屋台の目印
として使われているか、通夜の道案内の人が家名入りの提灯をかざしているぐらいであり
、活躍の場が狭められている状況にある。
【０００３】
提灯はどちらかといえば使用場所を限定された上で利用されているが、さらにその大部
分は、コンセントへの差し込みコ‐ドによってつながれた電気コ‐ド式となっているもの
が多い。その代表的なものに、一般家庭におけるお盆の必需品である盆提灯が挙げられる
。
【０００４】
従来、乾電池を使った提灯形灯明が公知である（例えば、特許文献１参照）。この提灯
形灯明は、灯明の安定性と重量感を無くすため重心を最下部に下げ、提灯前面から影を無
くするために電球３の取り付けに３０°の角度をもたせ、外部からの操作を可能にしたも
のである。
【特許文献１】実用新案登録第３０２７５４０号公報
【考案の開示】
【考案が解決しようとする課題】
【０００５】
ところで、上記の技術には、次のような解決すべき課題があった。
従来の提灯形灯明は、構成が複雑で電球や乾電池を交換するのに相当の手間がかかる。
また、提灯本体を横向きにして懐中電灯のような使い方ができない。
【０００６】
本考案は、以上の点に着目してなされたもので、乾電池式としたうえで、上部に取っ手
を設けることにより、移動や持ち運びが容易で自在となるインテリア提灯を提供すること
を目的とする。
【課題を解決するための手段】
【０００７】
本考案の各実施例においては、それぞれ次のような構成により上記の課題を解決する。
〈構成１〉
提灯本体に、その上下方向に延在する取っ手を設け、上記提灯本体下方の筒形底部に、
乾電池に接続されて点灯する電球を保持したソケットと、上記電球の点灯と消灯を行うス
イッチとを含む照明器具を着脱自在に配設し、上記提灯本体上方の筒形口部に、上記電球
から発射される光線を発散させるレンズを設けたことを特徴とするインテリア提灯。
【０００８】
照明器具を、提灯本体下方の筒形底部から外せるので、乾電池や電球の交換が簡単であ
る。また、照明にローソクを使用しないので安全であり、移動や持ち運びが容易である。
提灯本体をプラスチックで形成したときは、多少濡れても支障がないので、雨天等の天候
に左右されず持ち運びができる。
【０００９】
〈構成２〉
構成１に記載のインテリア提灯において、上記提灯本体上方の筒形口部に、上記レンズ
の外面を遮蔽する遮光キャップを着脱自在に配設したことを特徴とするインテリア提灯。
【００１０】
遮光キャップを取り外して提灯本体を横向きにすると、一般の懐中電灯のように、提灯
本体上方の筒形口部からも電球の光を照射することができる。
【００１１】
〈構成３〉
構成１に記載のインテリア提灯において、上記取っ手を、逆し字形とし、上端を上記提
灯本体上方の筒形口部に固着したことを特徴とするインテリア提灯。
【００１２】
取っ手の下端部が提灯本体から離間しているので、一時的あるいは長期的に保管すると
き等に、リング状の突起物にも掛けることができる。
【００１３】
〈構成４〉
構成１に記載のインテリア提灯において、上記提灯本体の側面に、任意の文字を表示し
たことを特徴とするインテリア提灯。
【００１４】
例えば、時代劇のシーンで町役人が手にする御用提灯の御用の文字を表示したり、家名
等を旧字体等で表示することにより、特殊な雰囲気を醸し出すことができる。
【００１５】
〈構成５〉
構成１に記載のインテリア提灯において、上記照明器具のソケットの周囲に、上記電球
からの光線を反射させる反射板を配設したことを特徴とするインテリア提灯。
【００１６】
反射板により照明効果を高めることができる。
【考案を実施するための最良の形態】
【００１７】
本考案では、映画やテレビの捕物帖の時代劇でよく眼にするシ‐ンで町役人が振りかざ
している「御用」の文字の入った、いわゆる「御用提灯」をプラスチックにて形成し、し
かも乾電池による灯明方式としている。
【００１８】
また、本考案は上部蓋体の内側にレンズを嵌め込むことにより、キャップをはずすと懐
中電灯と同様前方をも照らすことができ、利用幅がさらに拡大することとなる。例えば、
夜間の犬の散歩のときなどに最適と思われ、大変に面白味のある古くて新しい照明具とな
る。
【００１９】
非使用時には、提灯の裏側の取っ手の部分を室内の適宜な場所に掛けておくことにより
、小洒落で古風な味のある趣味、趣向の高い室内インテリアとなる。
以下、本考案の実施の形態を実施例に基づき説明する。
【実施例１】
【００２０】
図１は本考案の大型のインテリア提灯を示す正面図、図２は同側面透視図である。図３
は本考案の小型のインテリア提灯を示す正面図、図４は同側面透視図である。図５は本考
案のインテリア提灯の上部蓋体を示す分解図、図６は同インテリア提灯の下部蓋体を示す
分解図である。
【００２１】
本考案の大型のインテリア提灯は、提灯本体１２に、その上下方向に延在する取っ手１
０Ａ、１０Ｂを設け、提灯本体下方の筒形底部１３に、乾電池８Ａ、８Ｂに電極７Ａ、７
Ｂを介して接続されて点灯する電球４を保持したソケット５と、電球４の点灯と消灯を行
うスイッチ９とを含む照明器具を着脱自在に配設し、提灯本体上方の筒形口部１４に、電
球４から発射される光線を発散させるレンズ２を設けたものである。
【００２２】
取っ手１０Ａ、１０Ｂは、上部蓋体３Ａにビスで固定する。上部蓋体３Ａと下部蓋体３
Ｂはねじ式とし捻ることにより着脱自在に取付けられている。
レンズ２の外面には、レンズ２を遮光するキャップ１をねじ式により着脱自在に配設して
いる。ソケット５の周囲一面には、電球４からの光線を反射させる反射板１１が設けられ
ている。
【００２３】
本考案の大型のインテリア提灯は、大小２つのサイズを提供する。提灯の高さが３８cm
以上を大型とし、提灯の高さが３８cm以下を小型とする。
【００２４】
図１、図２に示す大型のインテリア提灯は室内インテリアとして装飾品になり、図３、
図４に示す小型のインテリア提灯は階段の上り框や、廊下の角などに置くことにより、暗
部を照らす小道具となり、いずれも安全確保のための一助となる。
【００２５】
本考案のインテリア提灯は、プラスチックにて提灯を形成することにより、燃えたりす
ることなく多少の雨に濡れてもロ‐ソクのように消えてしまう心配もない。プラスチック
の色は、やや使い込んだ提灯の味を醸しだすために、白色の明るいものではなく、薄く燻
んだベ‐ジュ系の色がよい。上部と下部の蓋体及び取っ手１０Ａ、１０Ｂの色は黒色が望
ましい。
【００２６】
乾電池８Ａ、８Ｂの交換や電球４の嵌め換えは、下部蓋体全部が捻ることにより外れる
ので、提灯をたたむ必要がなく提灯外部で容易に行なえるのが大きな特徴である。
【図面の簡単な説明】
【００２７】
【図１】本考案の大型のインテリア提灯を示す正面図。
【図２】同側面透視図。
【図３】本考案の小型のインテリア提灯を示す正面図。
【図４】同側面透視図。
【図５】本考案のインテリア提灯の上部蓋体を示す分解図。
【図６】同インテリア提灯の下部蓋体を示す分解図。
【符号の説明】
【００２８】
１  レンズキャップ
２  レンズ
３Ａ 上部蓋体
３Ｂ 下部蓋体
４  電球
５  ソケット
６Ａ、６Ｂ  配線
７Ａ、７Ｂ  電極
８Ａ、８Ｂ  乾電池
９  スイッチ（スライド式）
１０Ａ  大型提灯の取っ手
１０Ｂ  小型提灯の取っ手
１１  反射板
１２  提灯本体
１３  筒形底部
１４  筒形口部
【図１】
0003110743.tif 000003
【図２】
0003110743.tif 000004
【図３】
0003110743.tif 000005
【図４】
0003110743.tif 000006
【図５】
0003110743.tif 000007
【図６】
0003110743.tif 000008